(57)【要約】【課題】  応用計測の際のアノテーション表示操作を省略することで、作業効率を向上させる技術を提供する。【解決手段】  予め計測項目と文字列とを関連づけたテーブルをテーブル記憶手段に予め記憶させておき、医用画像の計測項目の入力を操作手段で受け付けると、計測手段により入力された計測項目の計測を行う。そして、テーブルを参照し、入力された計測項目と関連づけられている文字列をモニタに表示されている医用画像上に表示させる。【選択図】      図２
2009106494.tif 000002
【特許請求の範囲】
【請求項１】
被検体に対して超音波を送受波する超音波プローブと、
受波した超音波に基づき前記被検体の医用画像を生成する画像生成手段と、
前記医用画像を表示するモニタと、
前記被検体に対する計測項目の入力を受け付ける操作手段と、
入力された計測項目の計測を行う計測手段と、
前記計測項目とアノテーション用の文字列とを関連づけて予め記憶する記憶手段と、
前記入力された計測項目に関連づけられている前記文字列を前記医用画像とともに表示させるアノテーション表示制御手段と、
を備えること、
を特徴とする超音波診断装置。
【請求項２】
前記記憶手段は、
前記計測項目とこの計測項目に対する所定の計測値範囲とその計測値範囲に対する前記文字列とを関連づけて予め記憶し、
前記アノテーション表示制御手段は、
前記計測手段が算出した計測値が前記計測値範囲に収まる場合に、前記文字列を前記医用画像上に表示させること、
を特徴とする請求項１記載の超音波診断装置。
【請求項３】
前記記憶手段は、前記計測項目と１又は複数の前記文字列とを関連づけて予め記憶し、
前記アノテーション表示制御手段は、
前記入力された計測項目と関連づけられている前記文字列が複数存在する場合は、前記関連づけられている複数の前記文字列を前記医用画像上に表示させること、
を特徴とする請求項１記載の超音波診断装置。
【請求項４】
前記記憶手段は、前記計測項目と１又は複数の前記文字列とを関連づけて予め記憶し、
前記アノテーション表示制御手段は、
前記入力された計測項目と関連づけられている前記文字列が複数存在する場合は、前記複数の前記文字列の中から一を選択するためのメニューを生成して前記モニタに表示させ、
前記メニューに基づき選択された前記文字列を前記医用画像上に表示させること、
を特徴とする請求項１記載の超音波診断装置。
【請求項５】
前記操作手段は、前記計測項目とともに前記医用画像上の計測位置を指定する入力を受け付け、
前記計測手段は、前記指定された計測位置を基準に前記計測を行い、
前記アノテーション表示制御手段は、
表示位置を決定するための値を予め記憶しておく表示位置記憶手段を含み、
前記指定された計測位置から前記値分だけ離れた位置に前記文字列を表示させること、
を特徴とする請求項１記載の超音波診断装置。
【請求項６】
超音波の送受波に基づき生成された被検体の医用画像を表示するモニタと、
前記被検体に対する計測項目の入力を受け付ける操作手段と、
入力された計測項目の計測を行う計測手段と、
前記計測項目とアノテーション用の文字列とを関連づけて予め記憶する記憶手段と、
前記入力された計測項目に関連づけられている前記文字列を前記医用画像とともに表示させるアノテーション表示制御手段と、
を備えること、
を特徴とするアノテーション表示装置。
【請求項７】
前記記憶手段は、
前記計測項目とこの計測項目に対する所定の計測値範囲とその計測値範囲に対する前記文字列とを関連づけて予め記憶し、
前記アノテーション表示制御手段は、
前記計測手段が算出した計測値が前記計測値範囲に収まる場合に、前記文字列を前記医用画像上に表示させること、
を特徴とする請求項６記載のアノテーション表示装置。
【発明の詳細な説明】
【技術分野】
【０００１】
本発明は、画像診断装置により生成され、かつ応用計測された医用画像上に、アノテーションを自動的に表示する技術に関する。
【背景技術】
【０００２】
被検体の診断には、被検体内を撮影してその医用画像を作成する画像診断装置が用いられる。例えば超音波診断装置、Ｘ線ＣＴ装置、ＭＲＩ装置、核医学診断装置等である。生成した医用画像をモニタに表示し、被検体の診断に用いられる。
【０００３】
近年、この画像診断装置に、アノテーション表示機能が付加されることが多くなっている（例えば、「特許文献１」参照。）。アノテーション表示機能は、モニタの医用画像上にアノテーションと呼ばれる撮影部位、計測項目、計測結果、又は計測結果に対するコメントを表す文字列を表示するものである。
【０００４】
図８は、医用画像上にアノテーションを表示する具体例を示す図である。例えば、図８に示すように、末梢などの検査時には、生成された医用画像に写る総頸動脈が左右何れであるかを識別するために、アノテーション機能を用いて「Ｒ−ＣＣＡ」や「Ｌ−ＣＣＡ」という文字列で構成されたアノテーションを表示する。
【０００５】
図９は、アノテーション表示のための操作パネルを示す模式図である。アノテーションの表示操作では、まず図９に示すように、アノテーション表示のために、画像診断装置の操作パネル上にアノテーション表示のための画面を表示する。アノテーション表示のための画面には、医用画像上に表示するアノテーションを選択するキーが配列されている。例えば、右側の総頸動脈の内中膜複合体であることを示す「Ｒ−ＣＣＡ」という文字列で構成されたアノテーションや左側の総頸動脈の内中膜複合体であることを示す「Ｌ−ＣＣＡ」という文字列で構成されたアノテーションに対応するキーが配列されている。操作者は、このアノテーションを表示するための画面で所望のアノテーションに対応するキーを押下し、方向キー等の押下によってアノテーションの表示位置の指定し、医用画像上にアノテーションを表示させる。
【０００６】
ここで、画像診断装置による検査時には、応用計測が行われることが多い。応用計測は、生成した医用画像を基に、身体や部位の形状や機能や生理活性度合いを計測するものである。図１０は、応用計測の際に表示される操作パネルを示す模式図である。図１０に示すように、画像診断装置の操作パネル上に応用計測を選択するための画面を表示する。応用計測を選択するための画面には、計測項目毎に選択キーが配列されている。例えば、右側の総頸動脈の内中膜複合体の厚さを計測する「Ｒｉｇｈｔ  ＣＣＡ  ＩＭＴ」と表示されたキーや、左側の総頸動脈の内中膜複合体の厚さを計測する「Ｌｅｆｔ  ＣＣＡ  ＩＭＴ」と表示されたキー等が配列されている。計測項目は、撮影部位と計測内容の組み合わせによって区別される。操作者は、この応用計測を選択するための画面で所望の計測項目に対応するキーを押下し、表示されている医用画像を基に応用計測を開始させる。
【０００７】
応用計測を行う場合は、医用画像の撮影の後、この応用計測の操作とアノテーション表示の操作とが行われる。
【０００８】
【特許文献１】特開平１１−２８５４９４号公報
【発明の開示】
【発明が解決しようとする課題】
【０００９】
医療現場では、応用計測操作とアノテーション表示操作という作業工程を一日に多く繰り返すため、作業効率の向上が望まれている。一方で、応用計測は、上述のように部位と計測内容とにより区別されることが多いため、応用計測の操作は、アノテーションとして入力する項目の一つである撮影部位を指定する操作でもある。従って、応用計測の操作に引き続き、アノテーション表示の操作を行うことは、画像診断装置に対して撮影部位を２回指定していることと同じであり、効率が良いとは言えない。
【００１０】
本発明は、上記事情に鑑みてなされたものであり、その目的とするところは、応用計測の際のアノテーション表示操作を省略することで、作業効率を向上させる技術を提供することにある。
【課題を解決するための手段】
【００１１】
上記課題を解決するための請求項１に記載の本発明は、被検体に対して超音波を送受波する超音波プローブと、受波した超音波に基づき前記被検体の医用画像を生成する画像生成手段と、前記医用画像を表示するモニタと、前記被検体に対する計測項目の入力を受け付ける操作手段と、入力された計測項目の計測を行う計測手段と、前記計測項目とアノテーション用の文字列とを関連づけて予め記憶する記憶手段と、前記入力された計測項目に関連づけられている前記文字列を前記医用画像とともに表示させるアノテーション表示制御手段と、を備えること、を特徴とする。
【００１２】
前記記憶手段は、前記計測項目とこの計測項目に対する所定の計測値範囲とその計測値範囲に対する前記文字列とを関連づけて予め記憶し、前記アノテーション表示制御手段は、前記計測手段が算出した計測値が前記計測値範囲に収まる場合に、前記文字列を前記医用画像上に表示させるようにしてもよい（請求項２記載の発明に相当）。
【００１３】
前記記憶手段は、前記計測項目と１又は複数の前記文字列とを関連づけて予め記憶し、前記アノテーション表示制御手段は、前記入力された計測項目と関連づけられている前記文字列が複数存在する場合は、前記関連づけられている複数の前記文字列を前記医用画像上に表示させるようにしてもよい（請求項３記載の発明に相当）。
【００１４】
前記記憶手段は、前記計測項目と１又は複数の前記文字列とを関連づけて予め記憶し、前記アノテーション表示制御手段は、前記入力された計測項目と関連づけられている前記文字列が複数存在する場合は、前記複数の前記文字列の中から一を選択するためのメニューを生成して前記モニタに表示させ、前記メニューに基づき選択された前記文字列を前記医用画像上に表示させるようにしてもよい（請求項４記載の発明に相当）。
【００１５】
前記操作手段は、前記計測項目とともに前記医用画像上の計測位置を指定する入力を受け付け、前記計測手段は、前記指定された計測位置を基準に前記計測を行い、前記アノテーション表示制御手段は、表示位置を決定するための値を予め記憶しておく表示位置記憶手段を含み、前記指定された計測位置から前記値分だけ離れた位置に前記文字列を表示させるようにしてもよい（請求項５記載の発明に相当）。
【００１６】
上記課題を解決するための請求項６に記載の本発明は、超音波の送受波に基づき生成された被検体の医用画像を表示するモニタと、前記被検体に対する計測項目の入力を受け付ける操作手段と、入力された計測項目の計測を行う計測手段と、前記計測項目とアノテーション用の文字列とを関連づけて予め記憶する記憶手段と、前記入力された計測項目に関連づけられている前記文字列を前記医用画像とともに表示させるアノテーション表示制御手段と、を備えること、を特徴とする。
【００１７】
前記記憶手段は、前記計測項目とこの計測項目に対する所定の計測値範囲とその計測値範囲に対する前記文字列とを関連づけて予め記憶し、前記アノテーション表示制御手段は、前記計測手段が算出した計測値が前記計測値範囲に収まる場合に、前記文字列を前記医用画像上に表示させるようにしてもよい（請求項７記載の発明に相当）。
【発明の効果】
【００１８】
本発明によれば、応用計測を行うために計測項目を選択する操作を行った後、操作者の操作を必要とせずにアノテーションが表示できる。従って、従来必要だったアノテーションを表示するための複数の操作工程が省かれ、作業効率が向上するとともに、アノテーションの誤入力を防止できる。
【発明を実施するための最良の形態】
【００１９】
以下、本発明に係るアノテーション表示装置の好適な実施形態について、図面を参照しながら具体的に説明する。
【００２０】
図1は、本実施形態に係るアノテーション表示装置を有する超音波診断装置の構成を示すブロック図である。超音波診断装置１００は、被検体に対して超音波を送波し、受波した超音波から被検体内の医用画像を生成して表示する。さらに、操作者により応用計測操作が行われると、この応用計測操作に応じて、生成した医用画像を計測し、その計測値を表示する。応用計測としては、例えば、医用画像に写る内中膜複合体の厚さの計測や、心臓の左室へ血流の流入が開始してから流入が完了するまでの１心拍あたりの時間の計測等がある。
【００２１】
この超音波診断装置１００は、計測結果の表示とともに、応用計測の項目に応じたアノテーションを医用画像上に合成表示する。尚、医用画像上にオーバーレイ表示させたり、医用画像とは別のウィンドウ上に表示させたり、医用画像の欄外に表示させたりしてもよい。
【００２２】
この超音波診断装置１００は、超音波プローブ１０１と、超音波プローブ１０１に接続される送受信部１０２と、送受信部１０２に接続される信号処理部１０３と、信号処理部１０３に接続される画像処理部１０４を含み構成され、超音波の送受波に基づき被検体内の医用画像を生成する。
【００２３】
また、この超音波診断装置１００は、モニタ１０５と制御部１０６を含み構成されている。制御部１０６は、送受信部１０２と信号処理部１０３と画像処理部１０４とモニタ１０５を制御することで超音波の送受波に基づき医用画像を生成させ、モニタ１０５に医用画像を表示させる。また、制御部１０６は、操作手段たる操作パネル１０７を用いた応用計測操作の入力を受けて、計測手段として医用画像の応用計測を行い、アノテーション表示制御手段としてモニタ１０５に計測項目に対応するアノテーションを表示させる。
【００２４】
超音波プローブ１０１は、超音波を被検体内に送受波する。この超音波プローブ１０１は、圧電体と圧電体を挟んで配置される電極対を含み構成される。圧電体は、チタン酸鉛等の圧電セラミックからなる音響／電気可逆的変換素子である。圧電体は、電極対から信号電圧が印加されると、圧電効果が生じて電極対と直交する方向に超音波を送波する。一方、圧電体は、超音波を受波すると、圧電効果が生じて、受波した超音波をその強度に応じた電圧値を有するエコー信号に変換する。このエコー信号は、電極対に流れる。
【００２５】
超音波プローブ１０１に対して印加される信号電圧は、送受信部１０２から供給される。送受信部１０２は、送信部及び受信部によりなる。送信部と受信部は共に電極対に接続されている。送信部は、電極対に所定の信号電圧を印加する。受信部は、電極対から送信されたエコー信号を受信する。
【００２６】
エコー信号は、受信部から信号処理部１０３に出力される。信号処理部１０３は、エコー信号に二次元医用画像生成のための信号処理を施し、若しくは二次元血流像生成のための信号処理を施して、それぞれのラスタ画像データを得る。二次元医用画像生成の信号処理では、エコー信号をバンドパスフィルタ処理し、その後、包絡線を検波して、検波したデータに対して対数変換による圧縮処理を施すことで、二次元医用画像のラスタ画像データを得る。二次元血流像生成の信号処理では、位相を検波し、組織信号と血流信号とを分離するハイパスフィルタ処理（ＭＴＩフィルタ処理）を施し、自己相関処理を施すことで、血流の移動速度、分散、パワー等の血流情報のラスタ画像データを得る。
【００２７】
ラスタ画像データは、信号処理部１０３から画像メモリを経て画像処理部１０４に入力される。画像処理部１０４は、スキャンコンバージョン処理により、ラスタ画像データを直交座標系のビデオフォーマットに変換する。ビデオフォーマットに変換された画像データは、モニタ１０５に出力される。モニタ１０５は、この医用画像の画像データを表示する。
【００２８】
図２は、制御部１０６の構成を示すブロック図である。
【００２９】
制御部１０６は、駆動制御部１０８、計測部１０９、テーブル記憶部１１０、及びアノテーション表示制御部１１１から構成される。
【００３０】
駆動制御部１０８は、送受信部１０２と信号処理部１０３と画像処理部１０４とモニタ１０５を制御する。
【００３１】
計測部１０９は、操作パネル１０７を用いた応用計測操作の入力が行われると、表示されている医用画像を基に、応用計測操作に応じた計測項目の計測を行う。操作パネル１０７には、操作者の入力を受け付ける操作手段として、ソフトキーボードが表示される。ソフトキーボードには、方向キーや各種計測項目が対応づけられたキーが配列されている。例えば、操作パネル１０７には、「Ｒｉｇｈｔ  ＣＣＡ  ＩＭＴ」と表示されたキーや、「ＡＲ  Ｖ  Ｔｒａｃｅ」と表示されたキーや、「ＬＶ  Ｉｎｆｌｏｗ  Ｄｃｔ」と表示された応用計測のキーが表示されている。
【００３２】
「Ｒｉｇｈｔ  ＣＣＡ  ＩＭＴ」と表示されたキーが押下されると、計測部１０９は、右側の総頸動脈の内中膜複合体の厚さを計測する。操作パネル１０７の方向キーを押下して医用画像に写っている右側の総頸動脈の内中膜複合体の内壁面及び外壁面を端部とするようにラインが合わせられると、計測部１０９は、そのラインで示された指定距離を計測し、右側の総頸動脈の内中膜複合体の厚さとして計測値を表示する。
【００３３】
「ＡＲ  Ｖ  Ｔｒａｃｅ」と表示されたキーが押下されると、計測部１０９は、血流を計測し、大動脈弁閉鎖不全逆流が存在するか否かの計測結果を導く。操作パネル１０７の方向キーが押下されることでポインタが医用画像に写っている大動脈弁上に合わせられると、計測部１０９は、そのポインタで示された指定位置の血流方向を計測し、大動脈弁閉鎖不全逆流が生じているか否かの計測値を表示する。
【００３４】
「ＬＶ  Ｉｎｆｌｏｗ  Ｄｃｔ」と表示されたキーが押下されると、計測部１０９は、心臓の左室へ血流の流入が開始してから流入が完了するまでの１心拍あたりの時間を計測する。操作パネル１０７の方向キーが押下されることでポインタが医用画像に写っている心臓の左室上に合わせられると、計測部１０９は、そのポインタで示された指定位置の画素値を監視し、血流流入開始を表すものとして予め設定されている画素値と血流流入終了を表すものとして予め設定されている画素値輝度の検出間隔を計測し、その計測値を表示する。
【００３５】
テーブル記憶部１１０は、医用画像上に表示するアノテーションをテーブル化して記憶している。図３は、テーブル記憶部１１０に記憶されているアノテーションのテーブルを示すデータ構造図である。図３に示すように、アノテーションは、計測項目に関連づけられている。例えば、右側の総頸動脈の内中膜複合体の厚さを計測する「Ｒｉｇｈｔ  ＣＣＡ  ＩＭＴ」の計測項目と、「Ｒ−ＣＣＡ」という文字列で構成されたアノテーションが関連づけられている。また、大動脈弁閉鎖不全逆流が存在するか否かの「ＡＲ  Ｖ  Ｔｒａｃｅ」の計測項目と、「Ａｏｒｔｉｃ  ｖａｌｖｅ  Ｒｅｇｕｒｇｉｔａｔｉｏｎ」という文字列で構成されたアノテーションが関連づけられている。
【００３６】
アノテーション表示制御部１１１は、応用計測の計測項目に応じたアノテーションを医用画像上に表示させる。アノテーション表示制御部１１１は、操作パネル１０７を用いて応用計測操作が行われると、その応用計測の計測項目に関連づけられているアノテーションをテーブル記憶部１１０から読み出し、読み出したアノテーションを医用画像上に合成した描画画像を生成してモニタ１０５に表示させる。
【００３７】
尚、テーブルには、一の計測項目に対して、１又は複数のアノテーションを関連づけるようにしてもよい。アノテーション表示制御部１１１は、計測項目に関連づけられている全てのアノテーションを読み出し、医用画像上に合成表示させる。計測項目と複数のアノテーションとの関連づけは、一のレコードに複数のアノテーションを列記してもよいし、同じ計測項目とそれぞれのアノテーションとを関連づけた複数のレコードをテーブルに記憶させてもよい。
【００３８】
アノテーション表示制御部１１１は、アノテーションを表示する表示位置を決定するための表示位置情報を予め記憶している。この表示位置情報は、画素を基準とした距離を示す数値である。アノテーション表示制御部１１１は、応用計測の際に指定されたラインやポイント等の指定された位置を基準として、この基準から表示位置情報で示される値分離れた位置にアノテーションを表示させる。尚、操作パネル１０７を用いて入力された値がこの表示位置情報として予め記憶される。
【００３９】
図４は、このようなアノテーション表示装置を搭載した超音波診断装置１００のアノテーション表示動作を示すフローチャートである。
【００４０】
まず、操作者が操作パネル１０７を用いて応用計測操作を入力すると、計測部１０９は、入力された応用計測操作に応じた計測項目の計測を行う（Ｓ０１）。計測が終了すると、計測部１０９は、計測値をモニタ１０５に表示させる（Ｓ０２）。
【００４１】
さらに、アノテーション表示制御部１１１は、テーブル記憶部１１０に記憶されたテーブルを参照して、入力された応用計測操作に応じた計測項目に関連づけられたアノテーションを読み出す（Ｓ０３）。そして、アノテーション表示制御部１１１は、予め記憶している表示位置情報を読み出し（Ｓ０４）、応用計測の際に指定された位置から表示位置情報で示される値分離れた位置に、読み出したアノテーションを表示させる（Ｓ０５）。
【００４２】
例えば、テーブルに右側の総頸動脈の内中膜複合体の厚さを計測する「Ｒｉｇｈｔ  ＣＣＡ  ＩＭＴ」の計測項目と、「Ｒ−ＣＣＡ」という文字列で構成されたアノテーションが関連づけられているものとする。
【００４３】
この場合、右側の総頸動脈の内中膜複合体の厚さを計測させる操作を行うと、テーブルが参照されることで、「Ｒｉｇｈｔ  ＣＣＡ  ＩＭＴ」の計測項目に関連づけられた「Ｒ−ＣＣＡ」という文字列で構成されたアノテーションを読み出し、計測値とともに、この「Ｒ−ＣＣＡ」という文字列で構成されたアノテーションが医用画像上に表示される。従って、アノテーション表示のためのパネルに操作パネル１０７を切り替える操作と、この操作パネル１０７から「Ｒ−ＣＣＡ」という文字列で構成されたアノテーションのキーを選択して押下する操作を省くことができる。
【００４４】
尚、テーブルにおいて、一の検査項目に複数のアノテーションが関連づけられている場合には、モニタ１０５にメニュー１１２を表示させ、メニュー１１２からアノテーションを選択させるようにしてもよい。
【００４５】
図５は、メニュー１１２を表示する表示画面を示す模式図である。アノテーション表示制御部１１１は、テーブルから読み出したアノテーションが複数あると、モニタ１０５にメニュー１１２を表示させる。メニュー１１２には、読み出した複数のアノテーションが配列される。操作パネル１０７の方向キーを押下してメニュー１１２から一のアノテーションを選択する操作がなされると、アノテーション表示制御部１１１は、メニュー１１２から選択されたアノテーションを医用画像上に表示させる。
【００４６】
また、計測項目に応じたアノテーションを表示させるほか、応用計測の結果に応じたアノテーションを表示させるようにしてもよい。
【００４７】
図６は、応用計測の結果に応じたアノテーションを表示させるためのテーブルを示すデータ構造図である。
【００４８】
テーブルには、計測項目とアノテーションとが関連づけられたレコードが記憶されているほか、計測項目と計測値範囲情報とアノテーションとが関連づけられたレコードが記憶されている。計測値範囲情報は、計測値と比較する計測値の数値範囲を示す情報である。この計測値範囲情報は、アノテーションを表示するか否かの判断条件ともなる。一方、計測値範囲情報と関連づけられるアノテーションは、この計測値範囲情報が示す数値範囲に計測値が収まった場合に注釈するコメント等の文字列である。
【００４９】
例えば、計測値範囲情報としては、総頸動脈の内中膜複合体の厚み計測を表す「Ｒｉｇｈｔ  ＣＣＡ  ＩＭＴ」の計測項目に関連づけられて「１ｍｍ以下」を示す情報が記憶されている。この「Ｒｉｇｈｔ  ＣＣＡ  ＩＭＴ」の計測項目と「１ｍｍ超」を示す計測値範囲情報には、異常を示す「ａｂｎｏｒｍａｌ」の文字列で構成されるアノテーションが関連づけられている。
【００５０】
また、例えば、計測値範囲情報は、心臓の左室へ血流の流入が開始してから流入が完了するまでの１心拍あたりの時間の計測を表す「ＬＶ  Ｉｎｆｌｏｗ  ＤｃＴ」の計測項目に関連づけられて「１５０ｍｓｅｃ以下」を示す情報が記憶されている。この「ＬＶ  Ｉｎｆｌｏｗ  ＤｃＴ」の計測項目と「１５０ｍｓｅｃ以下」を示す計測値範囲情報には、「Ｒｅｓｔｒｉｃｔ」の文字列で構成されるアノテーションが関連づけられている。
【００５１】
アノテーション表示制御部１１１は、テーブル記憶部１１０に記憶されているテーブルを参照し、操作パネル１０７を用いて入力された応用計測操作に対応する計測項目に、数値範囲が関連づけられている場合には、計測値範囲情報を読み出して、計測部１０９により算出された計測値と計測値範囲情報とを比較する。そして、アノテーション表示制御部１１１は、計測値範囲情報が示す範囲に計測値が入れば、この計測項目及び数値範囲に関連づけられているアノテーションを医用画像上に表示させる。
【００５２】
図７は、この応用計測の結果に応じてアノテーションを表示させる動作のフローチャートである。
【００５３】
まず、操作者が操作パネル１０７を用いて応用計測操作を入力すると、計測部１０９は、入力された応用計測操作に応じた計測項目の計測を行う（Ｓ１１）。計測が終了すると、計測部１０９は、計測値をモニタ１０５に表示させる（Ｓ１２）。
【００５４】
さらに、アノテーション表示制御部１１１は、テーブル記憶部１１０に記憶されたテーブルを参照して、入力された応用計測操作に応じた計測項目に、計測値範囲情報が関連づけられていると（Ｓ１３，Ｙｅｓ）、計測部１０９が算出した計測値と計測値範囲情報が示す数値範囲とを比較する（Ｓ１４）。計測値が計測値範囲情報が示す数値範囲に収まれば（Ｓ１４，Ｙｅｓ）、入力された応用計測操作に応じた計測項目とこの計測値範囲情報とに関連づけられたアノテーションを読み出す（Ｓ１５）。
【００５５】
一方、アノテーション表示制御部１１１は、テーブル記憶部１１０に記憶されたテーブルを参照して、入力された応用計測操作に応じた計測項目に、計測値範囲情報が関連づけられていなければ（Ｓ１３，Ｎｏ）、入力された応用計測操作に応じた計測項目に関連づけられたアノテーションを読み出す（Ｓ１５）。
【００５６】
そして、アノテーション表示制御部１１１は、予め記憶している表示位置情報を読み出し（Ｓ１６）、応用計測の際に指定された位置から表示位置情報で示される値分離れた位置に、読み出したアノテーションを表示させる（Ｓ１７）。
【００５７】
例えば、テーブルには、右側の総頸動脈の内中膜複合体の厚さを計測する「Ｒｉｇｈｔ  ＣＣＡ  ＩＭＴ」の計測項目と、「Ｒ−ＣＣＡ」という文字列で構成されたアノテーションが関連づけられた第一のレコードと、「Ｒｉｇｈｔ  ＣＣＡ  ＩＭＴ」の計測項目と、「１ｍｍ超」を示す計測値範囲情報と、「ａｂｎｏｒｍａｌ」という文字列で構成されたアノテーションと関連づけられた第二のレコードが存在するものとする。また、右側の総頸動脈の内中膜複合体の厚さを示す計測値が１．５ｍｍであるものとする。
【００５８】
この場合、右側の総頸動脈の内中膜複合体の厚さを計測させる操作を行うと、テーブルが参照されることで、第一のレコードにおいて「Ｒｉｇｈｔ  ＣＣＡ  ＩＭＴ」の計測項目に関連づけられた「Ｒ−ＣＣＡ」という文字列で構成されたアノテーションを読み出し、計測値とともに、この「Ｒ−ＣＣＡ」という文字列で構成されたアノテーションが医用画像上に表示される。
【００５９】
さらに、「Ｒｉｇｈｔ  ＣＣＡ  ＩＭＴ」の計測項目に関連づけられた第二のレコードには、計測値範囲情報が存在するため、「１ｍｍ超」を示す計測値範囲情報と計測値である「１．５ｍｍ」とを比較する。比較の結果、「１ｍｍ超」を示す計測値範囲情報が示す数値範囲に計測値が収まっているため、第二のレコードから「ａｂｎｏｒｍａｌ」という文字列で構成されたアノテーションを読み出し、計測値と「Ｒ−ＣＣＡ」という文字列とともに、「ａｂｎｏｒｍａｌ」という文字列で構成されたアノテーションが医用画像上に表示される。
【００６０】
以上のように、このようなアノテーション表示装置を搭載した超音波診断装置１００によると、応用計測を行うために計測項目を選択する操作を行った後、操作者の操作を必要とせずにアノテーションが表示できる。従って、従来必要だったアノテーションを表示するための複数の操作工程が省かれ、作業効率が向上するとともに、アノテーションの誤入力を防止できる。
【図面の簡単な説明】
【００６１】
【図１】超音波診断装置の構成を示すブロック図である。
【図２】制御部の構成を示すブロック図である。
【図３】テーブル記憶部に記憶されているアノテーションのテーブルを示すデータ構造図である。
【図４】超音波診断装置のアノテーション表示動作を示すフローチャートである。
【図５】メニューを表示する表示画面を示す模式図である。
【図６】応用計測の結果に応じたアノテーションを表示させるためのテーブルを示すデータ構造図である。
【図７】応用計測の結果に応じてアノテーションを表示させる動作のフローチャートである。
【図８】医用画像上にアノテーションを表示する具体例を示す図である。
【図９】アノテーション表示のための操作パネルを示す模式図である。
【図１０】応用計測の際に表示される操作パネルを示す模式図である。
【符号の説明】
【００６２】
１００  超音波診断装置
１０１  超音波プローブ
１０２  送受信部
１０３  信号処理部
１０４  画像処理部
１０５  モニタ
１０６  制御部
１０７  操作パネル
１０８  駆動制御部
１０９  計測部
１１０  テーブル記憶部
１１１  アノテーション表示制御部
１１２  メニュー
【図１】
2009106494.tif 000003
【図２】
2009106494.tif 000004
【図３】
2009106494.tif 000005
【図４】
2009106494.tif 000006
【図５】
2009106494.tif 000007
【図６】
2009106494.tif 000008
【図７】
2009106494.tif 000009
【図８】
2009106494.tif 000010
【図９】
2009106494.tif 000011
【図１０】
2009106494.tif 000012